【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
方法であって、
ｗｉ−ｆｉ近隣物認識ネットワーク（ＮＡＮ）の第１のデバイスにおいて、前記ｗｉ−ｆｉ ＮＡＮの第２のデバイスからメッセージを受け取ることと、ここにおいて、前記メッセージは、前記ｗｉ−ｆｉ ＮＡＮに関連する発見期間（ＤＰ）中に前記第１のデバイスと前記第２のデバイスとの間のスケジューリングされた通信に関する測距ウィンドウ（ＲＷ）を特定する、
前記測距ウィンドウ中に前記ｗｉ−ｆｉ ＮＡＮの前記第１のデバイスにおいて、前記第１のデバイスから前記ｗｉ−ｆｉ ＮＡＮの前記第２のデバイスへの推定距離を表す値を決定することと、
前記値と１つまたは複数の近接度しきい値の比較に基づいて前記第１のデバイスのｗｉ−ｆｉ ＮＡＮ同期化モードを変更すべきかどうかを決定することと、を備える、方法。
【請求項２】
前記ｗｉ−ｆｉ ＮＡＮ同期化モードは、米国電気電子学会（ＩＥＥＥ）８０２．１１規格に準拠した同期化モードを備え、前記１つまたは複数の近接度しきい値は、第１の距離を表す第１の値に対応する第１のしきい値と、第２の距離を表す第２の値に対応する第２のしきい値と、第３の距離を表す第３の値に対応する第３のしきい値とを備え、前記第１の値は、前記第２の値よりも大きく、前記第２の値は、前記第３の値よりも大きく、前記方法はさらに、
前記値を決定するために１つまたは複数の微タイミング測定（ＦＴＭ）を実行することと、
前記１つまたは複数の近接度しきい値を格納するメモリから前記１つまたは複数の近接度しきい値を取り出すことと、
前記値と前記第１のしきい値を比較することと、
前記値と前記第１のしきい値を比較した後に、および前記値が前記第１のしきい値を超えることに応答して、前記値と前記第２のしきい値を比較することと
をさらに備える、請求項１に記載の方法。
【請求項３】
前記第１のデバイスにおいて、前記１つまたは複数の近接度しきい値を受信することと、
前記値と前記１つまたは複数の近接度しきい値の第１のしきい値を比較することと、
前記値が前記第１のしきい値を超えないことに応答して、前記第１のデバイスの前記ｗｉ−ｆｉ ＮＡＮ同期化モードをマスタデバイス動作モードから非マスタデバイス動作モードに変更することと
をさらに備える、請求項１に記載の方法。
【請求項４】
前記第２のデバイスから受信された送信に関連する受信信号強度インジケータ（ＲＳＳＩ）にさらに基づいて前記第１のデバイスの前記ｗｉ−ｆｉ ＮＡＮ同期化モードを変更すべきかどうかを決定することをさらに備える、
請求項１に記載の方法。
【請求項５】
前記第２のデバイスから受信された送信に対応する受信信号強度インジケータ（ＲＳＳＩ）に基づいて前記第１のデバイスの前記ｗｉ−ｆｉ ＮＡＮ同期化モードを非マスタデバイス同期化モードからマスタデバイス同期化モードに変更すべきかどうかを決定することと、
前記値に基づいて前記第１のデバイスの前記ｗｉ−ｆｉ ＮＡＮ同期化モードを前記マスタデバイス同期化モードから前記非マスタデバイス同期化モードに変更すべきかどうかを決定することと、をさらに備える、
請求項１に記載の方法。
【請求項６】
前記ｗｉ−ｆｉ ＮＡＮ同期化モードを前記非マスタデバイス同期化モードに変更する前に１つまたは複数のマスタデバイス動作を終了させることと、
前記ｗｉ−ｆｉ ＮＡＮ同期化モードを前記マスタデバイス同期化モードに変更し次第前記１つまたは複数のマスタデバイス動作を開始することと、をさらに備える、
請求項５に記載の方法。
【請求項７】
前記値に基づいておよび前記第２のデバイスから受信された送信に対応する受信信号強度インジケータ（ＲＳＳＩ）に基づいて前記第１のデバイスの前記ｗｉ−ｆｉ ＮＡＮ同期化モードを非マスタデバイス同期化モードからマスタデバイス同期化モードに変更すべきかどうかを決定することと、
前記値が前記１つまたは複数の近接度しきい値のうちの少なくとも１つを超えないことに応答して、および前記ＲＳＳＩが１つまたは複数の信号強度しきい値のうちの少なくとも１つを超えないことに基づいて、前記第１のデバイスの前記ｗｉ−ｆｉ ＮＡＮ動作モードを前記マスタデバイス同期化モードから前記非マスタデバイス同期化モードに変更することと
をさらに備える、請求項１に記載の方法。
【請求項８】
前記値に基づいて、および前記第１のデバイスにおいて前記第２のデバイスから受信された送信に対応する受信信号強度インジケータ（ＲＳＳＩ）に基づいて、前記第１のデバイスの前記ｗｉ−ｆｉ ＮＡＮ同期化モードをマスタデバイス動作モードから非マスタデバイス同期化モードに変更すべきかどうかを決定することをさらに備える、
請求項１に記載の方法。
【請求項９】
前記値に基づいて、および前記第１のデバイスにおいて前記第２のデバイスから受信された送信に対応する受信信号強度インジケータ（ＲＳＳＩ）に基づいて、前記第１のデバイスの前記ｗｉ−ｆｉ ＮＡＮ同期化モードを非マスタデバイス同期化モードからマスタデバイス同期化モードに変更すべきかどうかを決定することをさらに備える、
請求項１に記載の方法。
【請求項１０】
前記値が第１の近接度しきい値を超えないことに基づいて前記ｗｉ−ｆｉ  ＮＡＮ動作モードをマスタデバイス同期化モードから非マスタデバイス同期化モードに変更することをさらに備え、ここにおいて、前記第２のデバイスは、１つまたは複数のマスタデバイス動作を実行するように構成される、
請求項１に記載の方法。
【請求項１１】
前記ｗｉ−ｆｉ ＮＡＮの第３のデバイスに関する前記第１のデバイスの第２の推定距離を表す第２の値を決定することと、
前記ｗｉ−ｆｉ ＮＡＮの第４のデバイスに関する前記第１のデバイスの第３の推定距離を表す第３の値を決定することと、
前記第２の値が第１の近接度しきい値を超えおよび第２の近接度しきい値を超えないことに基づいて、および前記第３の値が前記第１の近接度しきい値を超えおよび前記第２の近接度しきい値を超えないことに基づいて、前記第１のデバイスの前記ｗｉ−ｆｉ ＮＡＮ同期化モードをマスタデバイス同期化モードから非マスタデバイス同期化モードに変更することと
をさらに備える、請求項１に記載の方法。
【請求項１２】
前記第２のデバイス、前記第３のデバイス、および前記第４のデバイスは、１つまたは複数のマスタデバイス動作を実行する、
請求項１１に記載の方法。
【請求項１３】
前記値が第１の近接度しきい値を超えないことに基づいて前記ｗｉ−ｆｉ ＮＡＮ同期化モードを非マスタ同期デバイス動作モードから非マスタ非同期デバイス同期化モードに変更することをさらに備える、
請求項１に記載の方法。
【請求項１４】
前記値が第１の近接度しきい値を超えることに基づいて前記ｗｉ−ｆｉ ＮＡＮ同期化モードを非マスタ非同期デバイス同期化モードから非マスタ同期デバイス同期化モードに変更することをさらに備える、
請求項１に記載の方法。
【請求項１５】
前記ｗｉ−ｆｉ ＮＡＮの３つまたはそれよりも多い他のデバイスに関する前記第１のデバイスの推定距離を表す複数の値が第１の近接度しきい値を超えおよび第２の近接度しきい値を超えないことに基づいて前記ｗｉ−ｆｉ ＮＡＮ同期化モードを非マスタ同期デバイス同期化モードから非マスタ非同期デバイス同期化モードに変更することをさらに備える、
請求項１に記載の方法。
【請求項１６】
前記ｗｉ−ｆｉ ＮＡＮの３つ未満の他のデバイスに関する前記第１のデバイスの推定距離を表す複数の値が第１の近接度しきい値を超えおよび第２の近接度しきい値を超えないことに基づいて前記ｗｉ−ｆｉ ＮＡＮ同期化モードを非マスタ非同期デバイス同期化モードから非マスタ同期デバイス同期化モードに変更することをさらに備える、
請求項１に記載の方法。
【請求項１７】
前記値が第１の近接度しきい値を超えることに基づいて前記第１のデバイスの前記ｗｉ−ｆｉ ＮＡＮ同期化モードを非マスタデバイス同期化モードからマスタデバイス同期化モードに変更することをさらに備える、
請求項１に記載の方法。
【請求項１８】
前記第１のデバイスから前記第２のデバイスに前記値を示す情報を送ることをさらに備える、
請求項１に記載の方法。
【請求項１９】
装置であって、
プロセッサと、
ｗｉ−ｆｉ近隣物認識ネットワーク（ＮＡＮ）の第１のデバイスにおいて、前記ｗｉ−ｆｉ ＮＡＮの第２のデバイスからメッセージを受け取るように構成されたインターフェースと、ここにおいて、前記メッセージは、前記ｗｉ−ｆｉ ＮＡＮに関連する発見期間（ＤＰ）中に前記第１のデバイスと前記第２のデバイスとの間のスケジューリングされた通信に関する測距ウィンドウを特定する、
前記プロセッサに結合されたメモリと、を備え、ここにおいて、前記メモリは、
前記測距ウィンドウ中にｗｉ−ｆｉ近隣物認識ネットワーク（ＮＡＮ）の前記第１のデバイスにおいて、前記第１のデバイスから前記ｗｉ−ｆｉ ＮＡＮの前記第２のデバイスへの推定距離を表す値を決定することと、
前記値と１つまたは複数の近接度しきい値の比較に基づいて前記第１のデバイスのｗｉ−ｆｉ ＮＡＮ同期化モードを変更すべきかどうかを決定することと、を前記プロセッサに行わせるために前記プロセッサによって実行可能である命令を格納する、装置。
【請求項２０】
前記メッセージは、ビーコンメッセージを備え、ここにおいて、前記ビーコンメッセージは、前記第１のデバイスが前記値を決定するのを可能にするために前記第１のデバイスからメッセージを受け取るための前記第２のデバイスによって予約された期間を示し、および、ここにおいて、前記ビーコンメッセージは、１つまたは複数の近接度しきい値をさらに示す、
請求項１９に記載の装置。
【請求項２１】
前記ビーコンメッセージは、発見ビーコンメッセージまたは同期化ビーコンメッセージを備える、
請求項２０に記載の装置。
【請求項２２】
前記期間は、前記測距ウィンドウに対応する、
請求項２０に記載の装置。
【請求項２３】
前記命令は、
前記第１のデバイスにおいて、前記値を決定するために前記期間中に１つまたは複数の測定を開始することと、
前記第１のデバイスから前記第２のデバイスに前記値を示すデータを送ることと、を前記プロセッサにさらに行わせる、
請求項２０に記載の装置。
【請求項２４】
装置であって、
ｗｉ−ｆｉ近隣物認識ネットワーク（ＮＡＮ）の第１のデバイスにおいて、前記ｗｉ−ｆｉ ＮＡＮの第２のデバイスからメッセージを受け取るための手段と、ここにおいて、前記メッセージは、前記ｗｉ−ｆｉ ＮＡＮに関連する発見期間（ＤＰ）中に前記第１のデバイスと前記第２のデバイスとの間のスケジューリングされた通信に関する測距ウィンドウを特定する、
前記測距ウィンドウ中に前記ｗｉ−ｆｉ ＮＡＮの前記第１のデバイスにおいて、前記第１のデバイスから前記ｗｉ−ｆｉ ＮＡＮの前記第２のデバイスへの推定距離を表す値を決定するための手段と、
前記値と１つまたは複数の近接度しきい値の比較に基づいて前記第１のデバイスのｗｉ−ｆｉ ＮＡＮ同期化モードを変更すべきかどうかを決定するための手段と、を備える、装置。
【請求項２５】
非一時的なコンピュータ可読媒体であって、
プロセッサによって実行されると、
ｗｉ−ｆｉ近隣物認識ネットワーク（ＮＡＮ）の第１のデバイスにおいて、前記ｗｉ−ｆｉ ＮＡＮの第２のデバイスからメッセージを受け取ることと、ここにおいて、前記メッセージは、前記ｗｉ−ｆｉ ＮＡＮに関連する発見期間（ＤＰ）中に前記第１のデバイスと前記第２のデバイスとの間のスケジューリングされた通信に関する測距ウィンドウを特定する、
前記測距ウィンドウ中に前記ｗｉ−ｆｉ ＮＡＮの前記第１のデバイスにおいて、前記第１のデバイスから前記ｗｉ−ｆｉ ＮＡＮの前記第２のデバイスへの推定距離を表す値を決定し、および
前記値と１つまたは複数の近接度しきい値の比較に基づいて前記第１のデバイスのｗｉ−ｆｉ ＮＡＮ同期化モードを変更すべきかどうかを決定することを前記プロセッサに行わせる命令を備える、非一時的なコンピュータ可読媒体。
【請求項２６】
前記命令は、前記プロセッサによって実行されると、
前記第１のデバイスにおいてビーコンメッセージを生成し、ここにおいて、前記ビーコンメッセージは、１つまたは複数の近接度しきい値、前記値を決定するために前記第１のデバイスによって予約された期間、またはそれらの組み合わせを示し、および
前記第１のデバイスから前記ｗｉ−ｆｉ ＮＡＮの第３のデバイスに前記ビーコンメッセージを送ることを前記プロセッサにさらに行わせる、
請求項２５に記載の非一時的なコンピュータ可読媒体。
【請求項２７】
前記第１のデバイスの前記ｗｉ−ｆｉ ＮＡＮ同期化モードを変更することは、前記ｗｉ−ｆｉ ＮＡＮ同期化モードを少なくとも３つのｗｉ−ｆｉ ＮＡＮ同期化モードのうちの第１のモードから前記少なくとも３つのｗｉ−ｆｉ ＮＡＮ同期化モードのうちの第２のモードに変更することを備え、前記少なくとも前記３つのｗｉ−ｆｉ ＮＡＮ同期化モードは、マスタｗｉ−ｆｉ ＮＡＮ同期化モードと、同期非マスタｗｉ−ｆｉ ＮＡＮ同期化モードと、非同期非マスタｗｉ−ｆｉ ＮＡＮ同期化モードを備える、請求項１に記載の方法。
【請求項２８】
前記測距ウィンドウの継続時間は、前記ｗｉ−ｆｉ ＮＡＮにおけるデバイスの数量に基づく、請求項１に記載の方法。
【請求項２９】
前記推定距離を決定する前に前記第１のデバイスと前記第２のデバイスの間で６フレーム交換を開始することをさらに備える、請求項１に記載の方法。
【請求項３０】
前記６フレーム交換は、
前記測距ウィンドウ中に前記第１のデバイスから前記第２のデバイスへ微タイミング測定（ＦＴＭ）要求を送ることと、
前記第１のデバイスにおいて前記第２のデバイスから第１のＦＴＭ応答を受け取ることと、
前記第１のデバイスから前記第２のデバイスへ確認応答メッセージを送ることと、
前記確認応答メッセージを送ることに応答して、前記第１のデバイスにおいて前記第２のデバイスから第２のＦＴＭ応答を受け取ることと
を備え、前記第２のＦＴＭ応答は、前記第２のデバイスが前記第１のＦＴＭ応答を送った第１の時間および前記第２のデバイスが前記第２のＦＴＭ応答を受け取った第２の時間を示すデータを含む、請求項２９に記載の方法。
【請求項３１】
前記第１の時間および前記第２の時間に少なくとも部分的に基づいて前記値を決定することと、
前記値と１つまたは複数の近接度しきい値の前記比較の結果に基づいて前記第１のデバイスの前記ｗｉ−ｆｉ ＮＡＮ動作モードを変更することと
をさらに備える、請求項３０に記載の方法。
【手続補正２】
【補正対象書類名】明細書
【補正対象項目名】００９５
【補正方法】変更
【補正の内容】
【００９５】
[00103]前の説明は、当業者が開示された実装を製造または使用することを可能にするために提供される。これらの実装に対する様々な変更は、当業者にとって容易に明確になるであろう、および本明細書において定められる一般原理は、本開示の適用範囲から逸脱せずに他の実装に対して適用され得る。以上のように、本開示は、本明細書において示される実装に限定されるものではなく、以下の請求項によって定められた原理および新規の特徴に一致する限りにおいて最も広範な適用範囲が認められるべきである。
以下に、本願の出願当初の特許請求の範囲に記載された発明を付記する。
［Ｃ１］
方法であって、
近隣物認識ネットワーク（ＮＡＮ）の第１のデバイスにおいて、前記ＮＡＮの第２のデバイスへの前記第１のデバイスの近接度を決定することと、
前記近接度に基づいて前記第１のデバイスのＮＡＮ動作モードを変更すべきかどうかを決定することと、を備える、方法。
［Ｃ２］
前記近接度を決定するために１つまたは複数の微タイミング測定（ＦＴＭ）を実行することをさらに備える、
Ｃ１に記載の方法。
［Ｃ３］
前記第１のデバイスの前記ＮＡＮ動作モードは、マスタデバイス動作モードと非マスタデバイス動作モードとの間で変更される、
Ｃ１に記載の方法。
［Ｃ４］
前記第２のデバイスから受信された送信に関連する受信信号強度インジケータ（ＲＳＳＩ）にさらに基づいて前記第１のデバイスの前記ＮＡＮ動作モードを変更すべきかどうかを決定することをさらに備える、
Ｃ１に記載の方法。
［Ｃ５］
前記近接度に基づいて前記第１のデバイスの前記ＮＡＮ動作モードを変更すべきかどうかを決定することは、前記ＲＳＳＩに基づいて前記第１のデバイスの前記ＮＡＮ動作モードを変更すべきかどうかを決定する前に生じる、
Ｃ４に記載の方法。
［Ｃ６］
前記近接度に基づいて前記第１のデバイスの前記ＮＡＮ動作モードを変更すべきかどうかを決定することは、前記ＲＳＳＩに基づいて前記第１のデバイスの前記ＮＡＮ動作モードを変更すべきかどうかを決定した後に生じる、
Ｃ４に記載の方法。
［Ｃ７］
前記第２のデバイスから受信された送信に関連する受信信号強度インジケータ（ＲＳＳＩ）に基づいて前記第１のデバイスの前記ＮＡＮ動作モードを非マスタデバイス動作モードからマスタデバイス動作モードに変更すべきかどうかを決定することと、
前記近接度に基づいて前記第１のデバイスの前記ＮＡＮ動作モードを前記マスタデバイス動作モードから前記非マスタデバイス動作モードに変更すべきかどうかを決定することと、をさらに備える、
Ｃ１に記載の方法。
［Ｃ８］
前記ＮＡＮ動作モードを前記非マスタデバイス動作モードに変更する前に１つまたは複数のマスタデバイス動作を終了させることと、
前記ＮＡＮ動作モードを前記マスタデバイス動作モードに変更し次第前記１つまたは複数のマスタデバイス動作を開始することと、をさらに備える、
Ｃ７に記載の方法。
［Ｃ９］
前記近接度に基づいて前記第１のデバイスの前記ＮＡＮ動作モードを非マスタデバイス動作モードからマスタデバイス動作モードに変更すべきかどうかを決定することと、
前記第２のデバイスから受信された送信に関連する受信信号強度インジケータ（ＲＳＳＩ）に基づいて前記第１のデバイスの前記ＮＡＮ動作モードを前記マスタデバイス動作モードから非マスタデバイス動作モードに変更すべきかどうかを決定することと、をさらに備える、
Ｃ１に記載の方法。
［Ｃ１０］
前記近接度に基づいておよび前記第１のデバイスにおいて前記第２のデバイスから受信された送信に関連する受信信号強度インジケータ（ＲＳＳＩ）に基づいて前記第１のデバイスの前記ＮＡＮ動作モードをマスタデバイス動作モードから非マスタデバイス動作モードに変更すべきかどうかを決定することをさらに備える、
Ｃ１に記載の方法。
［Ｃ１１］
前記近接度に基づいておよび前記第１のデバイスにおいて前記第２のデバイスから受信された送信に関連する受信信号強度インジケータ（ＲＳＳＩ）に基づいて前記第１のデバイスの前記ＮＡＮ動作モードを非マスタデバイス動作モードからマスタデバイス動作モードに変更すべきかどうかを決定することをさらに備える、
Ｃ１に記載の方法。
［Ｃ１２］
前記近接度が第１の近接度しきい値を超えないことに基づいて前記ＮＡＮ動作モードをマスタデバイス動作モードから非マスタデバイス動作モードに変更することをさらに備え、ここにおいて、前記第２のデバイスは、１つまたは複数のマスタデバイス動作を実行するように構成される、
Ｃ１に記載の方法。
［Ｃ１３］
前記ＮＡＮの３つの他のデバイスへの前記第１のデバイスの近接度が第１の近接度しきい値を超えおよび第２の近接度しきい値を超えないことに基づいて前記第１のデバイスの前記ＮＡＮ動作モードをマスタデバイス動作モードから非マスタデバイス動作モードに変更することをさらに備える、
Ｃ１に記載の方法。
［Ｃ１４］
前記３つの他のデバイスの各々は、１つまたは複数のマスタデバイス動作を実行する、
Ｃ１３に記載の方法。
［Ｃ１５］
前記近接度が第１の近接度しきい値を超えないことに基づいて前記ＮＡＮ動作モードを非マスタ同期デバイス動作モードから非マスタ非同期デバイス動作モードに変更することをさらに備える、
Ｃ１に記載の方法。
［Ｃ１６］
前記近接度が第１の近接度しきい値を超えることに基づいて前記ＮＡＮ動作モードを非マスタ非同期デバイス動作モードから非マスタ同期デバイス動作モードに変更することをさらに備える、
Ｃ１に記載の方法。
［Ｃ１７］
前記ＮＡＮの３つまたはそれよりも多い他のデバイスへの前記第１のデバイスの近接度が第１の近接度しきい値を超えおよび第２の近接度しきい値を超えないことに基づいて前記ＮＡＮ動作モードを非マスタ同期デバイス動作モードから非マスタ非同期デバイス動作モードに変更することをさらに備える、
Ｃ１に記載の方法。
［Ｃ１８］
前記ＮＡＮの３つ未満の他のデバイスへの前記第１のデバイスの近接度が第１の近接度しきい値を超えおよび第２の近接度しきい値を超えないことに基づいて前記ＮＡＮ動作モードを非マスタ非同期デバイス動作モードから非マスタ同期デバイス動作モードに変更することをさらに備える、
Ｃ１に記載の方法。
［Ｃ１９］
前記近接度が第１の近接度しきい値を超えることに基づいて前記第１のデバイスの前記ＮＡＮ動作モードを非マスタデバイス動作モードからマスタデバイス動作モードに変更することをさらに備える、
Ｃ１に記載の方法。
［Ｃ２０］
前記第１のデバイスから前記第２のデバイスに前記近接度を示す情報を送ることをさらに備える、
Ｃ１に記載の方法。
［Ｃ２１］
装置であって、
プロセッサと、
前記プロセッサに結合されたメモリと、を備え、ここにおいて、前記メモリは、
近隣物認識ネットワーク（ＮＡＮ）の第１のデバイスにおいて、前記ＮＡＮの第２のデバイスへの前記第１のデバイスの近接度を決定することと、
前記近接度に基づいて前記第１のデバイスのＮＡＮ動作モードを変更すべきかどうかを決定することと、を備える動作、を実行するために前記プロセッサによって実行可能である命令を格納する、装置。
［Ｃ２２］
前記動作は、前記第２のデバイスから前記第１のデバイスにおいてビーコンメッセージを受け取ることをさらに備え、ここにおいて、前記ビーコンメッセージは、近接度決定動作を実行するために前記第２のデバイスによって予約された期間を示し、および、ここにおいて、前記ビーコンメッセージは、１つまたは複数の近接度しきい値をさらに示す、
Ｃ２１に記載の装置。
［Ｃ２３］
前記ビーコンメッセージは、発見ビーコンメッセージまたは同期化ビーコンメッセージを備える、
Ｃ２２に記載の装置。
［Ｃ２４］
前記期間は、測距利用可能ウィンドウ（ＲＡＷ）を備える、
Ｃ２２に記載の装置。
［Ｃ２５］
前記動作は、
前記第１のデバイスにおいて、前記近接度を決定するために前記期間中に前記第２のデバイスと１つまたは複数の近接度決定動作を開始することと、
前記第１のデバイスから前記第２のデバイスに前記近接度を示すデータを送ることと、をさらに備える、
Ｃ２２に記載の装置。
［Ｃ２６］
前記第１のデバイスの前記ＮＡＮ動作モードを変更すべきかどうかを決定することは、前記１つまたは複数の近接度しきい値と前記近接度を比較することに基づく、
Ｃ２５に記載の装置。
［Ｃ２７］
装置であって、
近隣物認識ネットワーク（ＮＡＮ）の第１のデバイスにおいて、前記ＮＡＮの第２のデバイスへの前記第１のデバイスの近接度を決定するための手段と、
前記近接度に基づいて前記第１のデバイスのＮＡＮ動作モードを変更すべきかどうかを決定するための手段と、を備える、装置。
［Ｃ２８］
前記第１のデバイスの前記ＮＡＮ動作モードを変更すべきかどうかを決定することは、前記第１のデバイスにおいて格納された１つまたは複数の近接度しきい値と前記近接度を比較することに基づく、
Ｃ２７に記載の装置。
［Ｃ２９］
非一時的なコンピュータ可読媒体であって、
プロセッサによって実行されると、
近隣物認識ネットワーク（ＮＡＮ）の第１のデバイスにおいて、前記ＮＡＮの第２のデバイスへの前記第１のデバイスの近接度を決定し、および
前記近接度に基づいて前記第１のデバイスのＮＡＮ動作モードを変更すべきかどうかを決定することを前記プロセッサに行わせる命令を備える、非一時的なコンピュータ可読媒体。
［Ｃ３０］
前記命令は、前記プロセッサによって実行されると、
前記第１のデバイスにおいてビーコンメッセージを生成し、ここにおいて、前記ビーコンメッセージは、１つまたは複数の近接度しきい値、近接度決定動作を実行するために前記第１のデバイスによって予約された期間、またはそれらの組み合わせを示し、および
前記第１のデバイスから前記ＮＡＮの第３のデバイスに前記ビーコンメッセージを送ることを前記プロセッサにさらに行わせる、
Ｃ２９に記載の非一時的なコンピュータ可読媒体。